(57)【要約】【課題】  ディスクカートリッジにおいて、低トルク化と高除塵性を良好に両立する。【解決手段】  一対のシェル半体１１、１２にヘッドアクセス用開口部１１ｈ、１２ｈが設けられたハウジング２と、ヘッドアクセス用開口部１１ｈ、１２ｈを開閉する回動自在な一対のロータリーシャッタ３１、３２と、ロータリーシャッタ３１、３２に貼付された、記録媒体５０の表面を浄化するライナ４１、４２とを備えたディスクカートリッジ１において、少なくとも一方のロータリーシャッタ３１、３２には、ライナ４１、４２が貼付された領域に、少なくとも輪郭を残して開口部３１ｘ、３２ｘが設けられている。【選択図】  図１
2006134454.tif 000002
【特許請求の範囲】
【請求項１】
円盤状の記録媒体を回動自在に収容する一対のシェル半体を有し、該一対のシェル半体に各々、ドライブ装置の記録再生ヘッドを前記記録媒体にアクセスさせるためのヘッドアクセス用開口部が設けられたハウジングと、前記一対のシェル半体の前記ヘッドアクセス用開口部を開閉する、回動自在な一対のロータリーシャッタと、該ロータリーシャッタに貼付された、前記記録媒体の表面を浄化するライナとを備えたディスクカートリッジにおいて、
少なくとも一方の前記ロータリーシャッタには、前記ライナが貼付された領域に、少なくとも輪郭を残して開口部が設けられていることを特徴とするディスクカートリッジ。
【請求項２】
前記開口部は、前記一対のロータリーシャッタのうち、少なくとも、ドライブ装置に挿入された際に下側に位置する下側ロータリーシャッタに設けられていることを特徴とする請求項１に記載のディスクカートリッジ。
【請求項３】
前記開口部は、前記ロータリーシャッタにおいて、少なくとも、内周端と外周端との中心線より外周端側に設けられていることを特徴とする請求項１又は２に記載のディスクカートリッジ。
【発明の詳細な説明】
【技術分野】
【０００１】
本発明は、携帯電子機器等の記録再生に使用されるディスクカートリッジに係り、特にそのロータリーシャッタの構造に関する。
【背景技術】
【０００２】
デジタルカメラ等の携帯電子機器に使用される小型の記録再生カートリッジとして、円盤状の記録媒体を回動自在に収容し、ドライブ装置の記録再生ヘッドを記録媒体にアクセスさせるためのヘッドアクセス用開口部を有する一対のシェル半体を主とするハウジングと、ヘッドアクセス用開口部を開閉する回動自在なロータリーシャッタと、ロータリーシャッタに貼付された、記録媒体の表面を浄化するライナとを備えたディスクカートリッジが開示されている（特許文献１等）。かかるディスクカートリッジは、例えば、「ｃｌｉｋ！（登録商標）」等の名称で市販されている。
【特許文献１】特開２００４−１７８６４２号公報
【発明の開示】
【発明が解決しようとする課題】
【０００３】
ディスクカートリッジは、ドライブ装置に挿入された形態で各種携帯電子機器に搭載される。近年、携帯電子機器の小型高機能化に伴い、これに搭載されるドライブ装置にもさらなる小型化が要求されるようになってきている。例えば、ドライブ装置には、記録媒体を回動させるスピンドルモータが備えられているが、このモータの小型化が進むと考えられる。一般に、モータの小型化に伴い、許容される記録媒体回動時のトルクマージンが狭くなる傾向にある。そのため、ドライブ装置の小型化に対応するには、ディスクカートリッジの記録媒体回動時のトルクをより低く抑える「低トルク化」が必要となる。
【０００４】
一方、ディスクカートリッジの高記録密度化に伴い、記録媒体表面をより高いレベルに除塵する「高除塵性」が要求されるようになってきている。
【０００５】
しかしながら、記録媒体回動時のトルクが高くなる程、記録媒体がライナに対してより強い力で接触して、除塵性が向上する傾向にある。このように、「低トルク化」と「高除塵性」とは互いに背反する特性であり、従来技術ではこれらを良好に両立することは極めて困難である。
【０００６】
本発明はかかる事情に鑑みてなされたものであり、低トルク化と高除塵性を良好に両立するディスクカートリッジを提供することを目的とするものである。
【課題を解決するための手段】
【０００７】
本発明者は、記録媒体回動時のトルクが高くなる要因の一つとして、記録媒体の面振れに起因した記録媒体のライナへの接触力の増加があることを見出した。すなわち、記録媒体の面振れによって、記録媒体のライナに対する接触力が増すと、記録媒体回動時のトルクが増し、ライナによる記録媒体の除塵性能も大きくなる。そこで、本発明者は、高除塵性を維持しつつ、面振れによる記録媒体のライナに対する接触力を緩和し低トルク化を図るべく、鋭意検討を行い、以下のディスクカートリッジを発明した。
【０００８】
本発明のディスクカートリッジは、円盤状の記録媒体を回動自在に収容する一対のシェル半体を有し、該一対のシェル半体に各々、ドライブ装置の記録再生ヘッドを前記記録媒体にアクセスさせるためのヘッドアクセス用開口部が設けられたハウジングと、前記一対のシェル半体の前記ヘッドアクセス用開口部を開閉する、回動自在な一対のロータリーシャッタと、該ロータリーシャッタに貼付された、前記記録媒体の表面を浄化するライナとを備えたディスクカートリッジにおいて、少なくとも一方の前記ロータリーシャッタには、前記ライナが貼付された領域に、少なくとも輪郭を残して開口部が設けられていることを特徴とする。
【発明の効果】
【０００９】
本発明のディスクカートリッジでは、少なくとも一方のロータリーシャッタのライナが貼付された領域に、少なくとも輪郭を残して開口部を設ける構成としている。かかる構成の本発明によれば、面振れにより記録媒体とライナとが過度の力で接触する状態では、ライナの一部がロータリーシャッタに設けられた上記開口部内に退避することができ、記録媒体にかかるトルクが低減される。また、面振れがそれ程大きくない通常状態と、面振れが大きくなり、記録媒体とライナとが過度の力で接触する状態のいずれの状態においても、ロータリーシャッタに上記開口部が設けられた領域のライナにはベルヌーイの法則が働き、ライナが回動する記録媒体に引き寄せられるので、高い除塵性が得られる。したがって、本発明によれば、低トルク化と高除塵性を良好に両立することができる。
【発明を実施するための最良の形態】
【００１０】
次に、図面を参照し、本発明に係る一実施形態のディスクカートリッジ、及び該ディスクカートリッジのドライブ装置への挿入・取出機構について説明する。本実施形態では、磁気記録媒体を用いる磁気ディスクカートリッジを挙げて説明する。便宜上、ドライブ装置に挿入された際に、ドライブ装置の底面側に位置する側を「下側」、その反対側を「上側」として説明する。
【００１１】
図１はディスクカートリッジの分解斜視図である。図２（ａ）〜（ｃ）は各々、ロータリーシャッタが閉状態にある上面図、右側面図、及び底面図である。図３は下側ロータリーシャッタ／ばね部材／フレームの拡大平面図である。図４は図２のＡ−Ａ’線部分断面図である。図５はディスクカートリッジが挿入されるドライブ装置の一例である。
【００１２】
（ディスクカートリッジ）
図１、図２に示す如く、本実施形態の磁気ディスクカートリッジ１は、円盤状の磁気記録媒体（磁気ディスク）５０が、ハウジング２に収容されたものである。磁気記録媒体５０の中心開口部には、図５に示すドライブ装置８０に挿入された際に磁気吸着されるセンタコア（いわゆるハブ）５１が取り付けられている。このセンタコア５１は、後記する下側シェル半体１２／下側ロータリーシャッタ３２／下側ライナ４２の中心開口部に嵌入されている。
【００１３】
ハウジング２は、互いに対向配置され、磁気記録媒体５０を回動自在に収容する、平面視略同一形状の金属製等の上側シェル半体１１及び下側シェル半体１２と、これら一対のシェル半体１１、１２を支持する樹脂製等のフレーム２０とを有してなる。
【００１４】
シェル半体１１、１２は円盤状から略扇形状を切欠した形状を呈するもので、略扇形状の開口部が、ドライブ装置８０の磁気ヘッド（記録再生ヘッド）８７を磁気記録媒体５０にアクセスさせるためのヘッドアクセス用開口部１１ｈ、１２ｈとなっている。
【００１５】
図２（ａ）に示す如く、シェル半体１１、１２の左側面側には、図５のドライブ装置８０の係合部材８９に係合して、ドライブ装置８０内でのディスクカートリッジ１の位置を決めるノッチ１３が形成されている。また、図２（ｂ）に示す如く、シェル半体１１、１２の右側面側には、後記ロータリーシャッタ３１、３２を閉位置にロックするためのシャッタロック部材７０（図１参照）を外部に臨ませる小窓１４が形成されている。
【００１６】
フレーム２０は、一対のシェル半体１１、１２の間でかつ磁気記録媒体５０の側方に嵌め込まれている。図３に拡大して示す如く、フレーム２０は、磁気記録媒体５０側の端面が磁気記録媒体５０の外周形状に沿った弧状を呈する略板状のフレーム本体部２１を主とし、フレーム本体部２１の磁気記録媒体５０と反対側端部が、磁気ディスクカートリッジ１をドライブ装置８０に挿入する際の押込み部２１ａとなっている。フレーム２０には、後記ばね部材６０の一端が係止される、柱状のばね係止部２３が設けられている。このばね係止部２３は、係止されたばね部材６０がフレーム本体部２１に直接接しないように、接続部２２を介して、フレーム本体部２１と一体的に形成されている。
【００１７】
図１、図２に示す如く、磁気ディスクカートリッジ１には、シェル半体１１、１２のヘッドアクセス用開口部１１ｈ、１２ｈを開閉する、金属製等の上側ロータリーシャッタ３１及び下側ロータリーシャッタ３２が備えられている。ロータリーシャッタ３１、３２は、シェル半体１１、１２と同様、円盤状から略扇形状を切欠した形状を呈し、同様のヘッドアクセス用開口部３１ｈ、３２ｈを有している。ロータリーシャッタ３１、３２は、磁気記録媒体５０とシェル半体１１、１２との間に回動自在に介挿されている。また、ロータリーシャッタ３１と３２は互いに係合しており、協動する。さらに、下側シェル半体１２には円弧状溝１２ａが形成され、下側ロータリーシャッタ３２には、円弧状溝１２ａから突出しかつこの円弧状溝１２ａに沿って移動しロータリーシャッタ３１、３２を回動するシャッタノブ３２ｃが固設されている。
【００１８】
図３に示す如く、ロータリーシャッタ３１、３２は、１本のばね部材６０により、ドライブ装置８０への非挿入時に閉方向（反時計回り方向）に付勢されるよう構成されている。下側ロータリーシャッタ３２の外周には、上側シェル半体１１側に向かって延びるばね係止部３３が突設されており、ばね部材６０は両端が各々、このばね係止部３３とフレーム２０に設けられた前記ばね係止部２３に係止されている。ばね部材６０は、このように両端がばね係止部２３、３３に係止されて、ロータリーシャッタ３２とフレーム２０との間に円弧状に配され、フレーム２０側のばね係止部２３を支点として、ロータリーシャッタ３１、３２の回動に伴って伸縮する。
【００１９】
図１に示す如く、ロータリーシャッタ３１、３２の内面（磁気記録媒体５０側の面）には各々、磁気記録媒体５０の表面を浄化する、不織布等からなるライナ４１、４２が貼付されている。ライナ４１、４２は、ロータリーシャッタ３１、３２と同様、円盤状から略扇形状を切欠した形状を呈する。
【００２０】
本実施形態では、ロータリーシャッタ３１、３２のライナ４１、４２が貼付された領域に、輪郭を残して、内周端３１ａ、３２ａ近傍から外周端３１ｂ、３２ｂ近傍に渡って広い範囲に、開口部３１ｘ、３２ｘが２個ずつ設けられている（図３では図示略）。開口部３１ｘ、３２ｘは、ロータリーシャッタ３１、３２において、シェル半体１１、１２のヘッドアクセス用開口部１１ｈ、１２ｈを閉じる部分を除く領域に設けられている。本実施形態では、ロータリーシャッタ３１、３２にかかる開口部３１ｘ、３２ｘを設けている点が特徴的である。
【００２１】
図４に、下側ロータリーシャッタ３２／下側ライナ４２／磁気記録媒体５０の拡大断面図を示し、開口部３１ｘ、３２ｘの機能を説明する。図４（ａ）は、磁気記録媒体５０の面振れがそれ程大きくない通常状態、図４（ｂ）は、磁気記録媒体５０の面振れが大きい状態を示す図である。上側ロータリーシャッタ３１／上側ライナ４１／磁気記録媒体５０の関係は、下側と同様である。
【００２２】
磁気記録媒体５０の面振れがそれ程大きくない通常状態では、図４（ａ）に示す如く、磁気記録媒体５０、ライナ４１、４２、ロータリーシャッタ３１、３２は、互いに水平な関係、もしくはそれに近い関係にある。
【００２３】
磁気記録媒体５０の面振れが大きくなり、磁気記録媒体５０とライナ４１、４２とが過度の力で接触する状態では、図４（ｂ）に示す如く、ライナ４１、４２が磁気記録媒体５０によってロータリーシャッタ３１、３２側に押圧される。本実施形態では、この状態で、ライナ４１、４２の一部が、ロータリーシャッタ３１、３２に設けられた開口部３１ｘ、３２ｘ内に退避し、磁気記録媒体５０とライナ４１、４２との接触力が緩和され、磁気記録媒体５０にかかるトルクが低減される。このように、本実施形態では、ロータリーシャッタ３１、３２に、磁気記録媒体５０とライナ４１、４２とが過度の力で接触した際にライナ４１、４２が退避する退避場として機能する開口部３１ｘ、３２ｘを設ける構成としている。
【００２４】
ロータリーシャッタ３１、３２の開口部３１ｘ、３２ｘ内に一時的に退避したライナ４１、４２は、回転体に近接する物は回転体に引き寄せられるという「ベルヌーイの法則」に従って、回動する磁気記録媒体５０側に引き戻され、磁気記録媒体５０に良好に接触するので、高除塵性が維持される。
【００２５】
また、磁気記録媒体５０の面振れがそれ程大きくない通常状態にも、ロータリーシャッタ３１、３２に開口部３１ｘ、３２ｘが設けられた領域は、ライナ４１、４２がロータリーシャッタ３１、３２に固定されておらず、フリーであるので、ベルヌーイの法則に従って、ライナ４１、４２が回動する磁気記録媒体５０に引き寄せられ、従来よりも高い除塵性が得られる。このように、開口部３１ｘ、３２ｘは、ライナ４１、４２の退避場としての機能だけではなく、除塵性向上機能も呈する。
【００２６】
本実施形態の磁気ディスクカートリッジ１は以上のように構成されている。
【００２７】
（ドライブ装置、ディスクカートリッジの挿入・取出機構）
次に、図５に示すドライブ装置８０の構成と、磁気ディスクカートリッジ１の挿入・取出機構について説明する。
【００２８】
図５に示すドライブ装置８０は、磁気ディスクカートリッジ１が挿入されるスロット８１と、磁気記録媒体５０のセンタコア５１を磁気吸着するスピンドル８３を備えたスピンドルモータ８２と、ヘッドアクチュエータ８４と、スイングアーム８５と、このスイングアーム８５に支持されたヘッドサスペンション８６とを備えている。ヘッドサスペンション８６の先端には、回転する磁気記録媒体５０の表面にアクセスして情報の記録再生を行う磁気ヘッド（記録再生ヘッド）８７が設けられている。
【００２９】
さらにドライブ装置８０には、磁気ディスクカートリッジ１のノッチ１３に係合する係合部材８９を備えたプッシュ・プッシュ式のカートリッジ係止・取出機構８８と、このドライブ装置８０が装填されるデジタルカメラ、パソコン等の電子機器に対する入出力インターフェース９０とを備えている。
【００３０】
ドライブ装置８０のスロット８１の奥の右側には、磁気ディスクカートリッジ１の挿入方向と直交するように左右方向に延びるシャッタノブ係止壁７８がシャッタ開放手段として形成されているとともに、閉位置にロックされたロータリーシャッタ３１、３２のロック状態を磁気ディスクカートリッジ１の挿入時に解除するロック解除部材７９が設けられている。
【００３１】
磁気ディスクカートリッジ１がドライブ装置８０に挿入されると、先ずロック解除部材７９がシャッタロック部材７０を押圧してロータリーシャッタ３１、３２のロック状態を解除する。この状態でシャッタノブ３２ｃがドライブ装置８０のシャッタノブ係止壁７８に係合し、磁気ディスクカートリッジ１の押込みに伴って、シャッタノブ３２ｃがシャッタノブ係止壁７８に沿ってスライドする。これによって、ロータリーシャッタ３１、３２がばね部材６０を引っ張りながら回動し、シェル半体１１、１２のヘッドアクセス用開口部１１ｈ、１２ｈが開状態となる。磁気ディスクカートリッジ１のノッチ１３にドライブ装置８０の係合部材８９が係合し、磁気ディスクカートリッジ１は、ドライブ装置８０内の所定位置にロードされる。
【００３２】
磁気ディスクカートリッジ１の取出し時には、押込み部２１ａを押圧することにより、カートリッジ係止・取出機構８８が磁気ディスクカートリッジ１を押し出すと共に、磁気ディスクカートリッジ１の引出しに伴って、ロータリーシャッタ３１、３２は、ばね部材６０の付勢力により、図２（ａ）、（ｃ）に示した位置まで回動されて、シャッタロック部材７０によりロックされ、シェル半体１１、１２のヘッドアクセス用開口部１１ｈ、１２ｈが閉状態となる。
【００３３】
本実施形態のディスクカートリッジ１では、ロータリーシャッタ３１、３２のライナ４１、４２が貼付された領域に、ライナ退避用の開口部３１ｘ、３２ｘを設ける構成としている。かかる構成のディスクカートリッジ１では、上記した如く、面振れにより磁気記録媒体５０とライナ４１、４２とが過度の力で接触する状態では、ライナ４１、４２の一部が開口部３１ｘ、３２ｘ内に退避し、磁気記録媒体５０にかかるトルクが低減される。また、面振れがそれ程大きくない通常状態と、面振れが大きくなり、磁気記録媒体５０とライナ４１、４２とが過度の力で接触する状態のいずれの状態においても、ロータリーシャッタ３１、３２に開口部３１ｘ、３２ｘが設けられた領域のライナ４１、４２にはベルヌーイの法則が働き、ライナ４１、４２が回動する磁気記録媒体５０に引き寄せられ、高い除塵性が得られる。したがって、本実施形態によれば、低トルク化と高除塵性を良好に両立することができる。
【００３４】
また、本実施形態では、ロータリーシャッタ３１、３２に、輪郭は残してライナ退避用の開口部３１ｘ、３２ｘを２個ずつ設ける構成としているので、残された骨格によって、ロータリーシャッタ３１、３２の強度は充分に確保される。また、ライナ４１、４２の面積も従来のまま広く確保されるので、磁気記録媒体５０の広い範囲がライナ４１、４２に接触して除塵される。骨格を残すことで、ライナ４１、４２が開口部３１ｘ、３２ｘ内に退避しすぎて、磁気記録媒体５０側に戻るのが遅くなりすぎ、除塵性が低下することも抑制できる。
【００３５】
本実施形態では、上下双方のロータリーシャッタ３１、３２に、内周端３１ａ、３２ａ近傍から外周端３１ｂ、３２ｂ近傍に渡って広い範囲に、ライナ退避用の開口部３１ｘ、３２ｘを２個ずつ設ける構成としたが、少なくとも一方のロータリーシャッタ３１、３２に、少なくとも１個のライナ退避用の開口部を設ければ、低トルク化と除塵性向上効果が得られる。
【００３６】
ただし、重力が作用する分、磁気記録媒体５０のライナ４１、４２への接触力は、下側ライナ４２に対してより大きくなる傾向にある。また、磁気記録媒体５０の面振れは、軸中心から離れる程大きくなる傾向にある。したがって、少なくとも、ドライブ装置８０に挿入された際に下側に位置する下側ロータリーシャッタ３２に、ライナ退避用の開口部３２ｘを設けることが好ましい。また、いずれのロータリーシャッタ３１、３２にライナ退避用の開口部を設けるにせよ、少なくとも内周端３１ａ、３２ａと外周端３１ｂ、３２ｂとの中心線３１Ｌ、３２Ｌより外周端３１ｂ、３２ｂ側に設けることが好ましい。かかる構成とすることで、磁気記録媒体５０とライナ４１、４２との接触力を効果的に緩和し、低トルク化を効果的に図ることができる。
【００３７】
本実施形態においては、磁気ディスクカートリッジについてのみ説明したが、本発明は、磁気記録媒体に限らず、任意の記録媒体を用いるディスクカートリッジに適用可能である。
【産業上の利用可能性】
【００３８】
本発明は、デジタルカメラ等の携帯電子機器に使用される小型の磁気記録再生カートリッジ等に好ましく適用することができる。
【図面の簡単な説明】
【００３９】
【図１】本発明に係る一実施形態の磁気ディスクカートリッジの分解斜視図である。
【図２】図１のディスクカートリッジの上面図、右側面図、及び底面図である。
【図３】図１のディスクカートリッジの下側ロータリーシャッタ／ばね部材／フレームの拡大平面図である。
【図４】図１のディスクカートリッジの下側ロータリーシャッタ／下側ライナ／磁気記録媒体の拡大断面図（図２のＡ−Ａ’断面図）である。
【図５】図１のディスクカートリッジが挿入されるドライブ装置の一例である。
【符号の説明】
【００４０】
１  磁気ディスクカートリッジ（ディスクカートリッジ）
２  ハウジング
１１、１２  シェル半体
１１ｈ、１２ｈ  ヘッドアクセス用開口部
３１、３２  ロータリーシャッタ
３１ａ、３２ａ  ロータリーシャッタの内周端
３１ｂ、３２ｂ  ロータリーシャッタの外周端
３１Ｌ、３２Ｌ  ロータリーシャッタの内周端と外周端との中心線
３１ｘ、３２ｘ  ロータリーシャッタの開口部
４１、４２  ライナ
５０  磁気記録媒体（記録媒体）
８０  ドライブ装置
８７  磁気ヘッド（記録再生ヘッド）
【図１】
2006134454.tif 000003
【図２】
2006134454.tif 000004
【図３】
2006134454.tif 000005
【図４】
2006134454.tif 000006
【図５】
2006134454.tif 000007